(57)【要約】【課題】  画像記録媒体が異なっていても、個人情報が同じであれば、プリント条件を同一にすることができるラボシステムを提供する。【解決手段】  識別情報を有する画像記録媒体と、前記識別情報を読み取るための識別情報読取手段と、読みとられた識別情報と個人情報とを対応付けるための第１対応付け手段と、個人情報と個人のプリント条件とを対応付けるための第２対応付け手段と、を備え、前記画像記録媒体の識別情報を前記識別情報読取手段により読み取り、読み取られた識別情報より前記第１対応付け手段により個人情報を特定し、特定した個人情報より前記第２対応付け手段により個人のプリント条件を特定し、特定した個人のプリント条件に基づきプリンタによりプリントすることを特徴とするラボシステム。【選択図】        図１０
2007041114.tif 000002
【特許請求の範囲】
【請求項１】
識別情報を有する画像記録媒体と、
前記識別情報を読み取るための識別情報読取手段と、
読みとられた識別情報と個人情報とを対応付けるための第１対応付け手段と、
個人情報と個人のプリント条件とを対応付けるための第２対応付け手段と、
を備え、前記画像記録媒体の識別情報を前記識別情報読取手段により読み取り、
読み取られた識別情報より前記第１対応付け手段により個人情報を特定し、
特定した個人情報より前記第２対応付け手段により個人のプリント条件を特定し、
特定した個人のプリント条件に基づきプリンタによりプリントすることを特徴とするラボシステム。
【請求項２】
読み取られた識別情報より個人情報が対応付けできない場合には、個人のプリント条件を補正を行わない値であるデフォルト値とすることを特徴とする請求項１に記載のラボシステム。
【請求項３】
前記プリント条件は、書き換えて最新のプリント条件に更新可能であることを特徴とする請求項１に記載のラボシステム。
【請求項４】
ネットワークに接続され、かつ前記第２対応付け手段を有するサーバーと、
前記ネットワークに接続されて前記サーバーと送受信され、かつ前記識別情報読取手段と前記第１対応付け手段とを有する複数の端末装置と、
を備え、
前記複数の端末装置で、画像記録媒体の識別情報を前記識別情報読取手段により読み取り、読み取られた識別情報より前記第１対応付け手段により個人情報を特定し、前記サーバーで、特定した個人情報より前記第２対応付け手段により個人のプリント条件と特定し、特定した個人のプリント条件に基づきプリンタによりプリントすることを特徴とする請求項１に記載のラボシステム。
【請求項５】
前記複数の端末装置にプリンタを有することを特徴とする請求項４に記載のラボシステム。
【請求項６】
請求項１から５の何れか１項に記載のラボシステムに用いられるプリンタであって、前記特定した個人のプリント条件に基づきプリントすることを特徴とするプリンタ。
【請求項７】
請求項１から５の何れか１項に記載のラボシステムに用いられる画像記録媒体であって、撮影した被写体の画像を画像記録部と、外部からの信号に基づいて、識別情報の書き込み読み出しが可能な識別情報部とて構成され、前記識別情報には個人情報を有することを特徴とする画像記録媒体。
【発明の詳細な説明】
【技術分野】
【０００１】
本発明は、ラボシステム、プリンタおよび画像記録媒体に係わり、特に、画像記録媒体に記録されている画像をプリントするラボシステム、プリンタ、および画像記録媒体に関する。
【背景技術】
【０００２】
従来より、プリントシステム（ラボシステム）として、画像記録媒体に、画像データ以外にプリント枚数、プリント条件等の注文情報を有し、この画像記録媒体を用いてプリント出力条件を設定してプリントする技術が開示されている（特許文献１）。
【０００３】
また、ラボシステムとして、顧客から画像が記録されたネガフィルム等によるプリント注文の際に注文記録媒体が提示され、注文記録媒体に記録された識別情報に基づき、予めラボシステムに蓄積されている顧客のプリント条件を読み出し、この顧客のプリント条件に基づきプリンタのプリント出力条件を設定してプリントする技術が開示されている（特許文献２）。
【特許文献１】特開２００２−３５４３８４号公報
【特許文献２】特開平９−２６５１３８号公報
【発明の開示】
【発明が解決しようとする課題】
【０００４】
しかしながら、前者においては、画像記録媒体毎に注文情報、プリント条件が記録されており、複数の画像記録媒体から同時にプリントをする場合に、プリントの仕上品質を揃えるためには画像記録媒体毎にプリント条件等の設定を行う必要があり煩わしという問題がある。
【０００５】
また、後者においては、注文のたびに注文記録媒体を別途必要とするため、操作が煩雑となり、また、そもそも注文記録媒体と画像記録媒体を併用するものでないため、画像記録媒体が複数枚になった場合の対応については考慮されていない。
【０００６】
本発明は上記の課題に鑑みなされたもので、本発明の目的は、画像記録媒体が異なっていても、顧客が同じであれば、プリント条件を同一にすることができるラボシステム、プリンタ、および画像記録媒体を提供することにある。
【課題を解決するための手段】
【０００７】
上記の目的は下記の手段により達成される。
（請求項１）識別情報を有する画像記録媒体と、前記識別情報を読み取るための識別情報読取手段と、読みとられた識別情報と個人情報とを対応付けるための第１対応付け手段と、個人情報と個人のプリント条件とを対応付けるための第２対応付け手段と、を備え、前記画像記録媒体の識別情報を前記識別情報読取手段により読み取り、読み取られた識別情報より前記第１対応付け手段により個人情報を特定し、特定した個人情報より前記第２対応付け手段により個人のプリント条件を特定し、特定した個人のプリント条件に基づきプリンタによりプリントすることを特徴とするラボシステム。
（請求項２）読み取られた識別情報より個人情報が対応付けできない場合には、個人のプリント条件を補正を行わない値であるデフォルト値とすることを特徴とする請求項１に記載のラボシステム。
（請求項３）前記プリント条件は、書き換えて最新のプリント条件に更新可能であることを特徴とする請求項１に記載のラボシステム。
（請求項４）ネットワークに接続され、かつ前記第２対応付け手段を有するサーバーと、前記ネットワークに接続されて前記サーバーと送受信され、かつ前記識別情報読取手段と前記第１対応付け手段とを有する複数の端末装置と、を備え、前記複数の端末装置で、画像記録媒体の識別情報を前記識別情報読取手段により読み取り、読み取られた識別情報より前記第１対応付け手段により個人情報を特定し、前記サーバーで、特定した個人情報より前記第２対応付け手段により個人のプリント条件と特定し、特定した個人のプリント条件に基づきプリンタによりプリントすることを特徴とする請求項１に記載のラボシステム。
（請求項５）前記複数の端末装置にプリンタを有することを特徴とする請求項４に記載のラボシステム。
（請求項６）請求項１から５の何れか１項に記載のラボシステムに用いられるプリンタであって、前記特定した個人のプリント条件に基づきプリントすることを特徴とするプリンタ。
（請求項７）請求項１から５の何れか１項に記載のラボシステムに用いられる画像記録媒体であって、撮影した被写体の画像を画像記録部と、外部からの信号に基づいて、識別情報の書き込み読み出しが可能な識別情報部とて構成され、前記識別情報には個人情報を有することを特徴とする画像記録媒体。
【発明の効果】
【０００８】
本発明は下記のような効果を奏する。
【０００９】
請求項１に記載のラボシステムの発明によれば、画像記録媒体が異なっていても、画像記録媒体に書き込まれている顧客の個人情報（例えば顧客コード）が同じであれば、個人情報毎に登録されているプリント条件を使用することによりプリント条件が同一となり顧客のプリント条件に仕上げることができ、また、従来のように画像記録媒体毎にプリント条件の設定を行う必要がなくなる。
【００１０】
請求項２に記載のラボシステムの発明によれば、個人情報とプリント条件とが対応づけられていない画像記録媒体であっても、標準プリント条件で対応するのでプリント異常とはならなくなる。
【００１１】
請求項３に記載のラボシステムの発明によれば、顧客の望むプリント条件が変わっても、更新できるので顧客の最新のプリント条件でプリントができるようになる。
【００１２】
請求項４、５に記載のラボシステムの発明によれば、ラボシステムを構成するどの端末装置（受付処理機）からでも、画像記録媒体に書き込まれている顧客の個人情報（例えば顧客コード）が同じであれば、個人情報毎に登録されているプリント条件を使用することによりプリント条件が同一となり顧客のプリント条件に仕上げることができる。
【００１３】
請求項６に記載のプリンタの発明によれば、画像記録媒体が異なっていても、個人情報が同じであれば、同一の仕上のプリントができるようになる。
【００１４】
請求項７に記載の画像記録媒体の発明によれば、例えば、登録されている顧客のプリント条件を検索するための個人情報を容易に特定できるようになる。
【発明を実施するための最良の形態】
【００１５】
以下、本発明に係わる実施の形態のラボシステム、プリンタ、および画像記憶媒体について説明する。
【００１６】
＜画像記録媒体の概略構成＞
本発明に係わる実施の形態の画像記録媒体について説明する。図１は実施の形態に係わる画像記録媒体の構成を示す図（ａ）と画像記録媒体の識別情報の一例を示す図である。
【００１７】
図１（ａ）に示すように、画像記録媒体（単にメモリカードともいう）Ｍは、撮影した被写体の画像を画像記録部Ｍａと、外部からの信号に基づいて、識別情報Ｍｂｄの書き込み読み出しが可能な識別情報部Ｍｂとから構成されている。
【００１８】
図１（ｂ）に示すように、識別情報部Ｍｂには識別情報Ｍｂｄが記憶されており、識別情報Ｍｂｄとしては、例えば、「ＭＮ００１Ａ」となっている。この「ＭＮ」は、ラボシステムを構築しているラボ業者を識別するための略称であり、また、「００１」は整理番号であり、さらに、「Ａ」は顧客を特定するための個人情報である顧客コードである。なお、整理番号は、例えば発行するメモリカードを管理する目的で連番に付与し、また、個人情報は、例えば、顧客毎に識別符号を付け、識別符号より個人が分かるようにする。
【００１９】
実施の形態では識別情報部ＭｂはＩＣタグで構成され、ＩＣタグは非接触で電子情報の読み書きが可能で、メモリセルが半導体不揮発メモリ、強誘電体メモリ、または磁気メモリ等である。なお、メモリカードＭは、記録媒体の画像データを記憶する領域とは異なる領域に、ＩＣタグに相当する識別情報部を形成するようにしてもよい。
【００２０】
次に、識別情報部ＭｂのＩＣタグの電気的構成について説明する。図２は識別情報部ＭｂであるＩＣタグの電気的構成を示す図である。
【００２１】
図２に示すように、識別情報部ＭｂであるＩＣタグは、アンテナＭｂ１、送受信回路Ｍｂ２、電源回路Ｍｂ３、制御回路Ｍｂ４、およびメモリＭｂ５から構成される。本実施の形態では、ＩＣタグの通信方式として、電磁誘導方式を適用した例を説明するが、電磁結合方式、マイクロ波方式、光方式等、その他の通信方式であってもよい。アンテナＭｂ１は、ループアンテナを備え、リーダライタ３１から送信された電波信号を受信し、受信した信号を送受信回路Ｍｂ２に出力する。また、送受信回路Ｍｂ２からの入力信号をリーダライタ３１に送信する。送受信回路Ｍｂ２は、アンテナＭｂ１からの入力信号を復調して制御回路Ｍｂ４に出力する。また、制御回路Ｍｂ４からの入力信号を変調増幅し、アンテナＭｂ１に出力する。電源回路Ｍｂ３は、アンテナＭｂ１を介して受信した電波を電圧に変換し、ＩＣタグへの各部への電源供給を行う。制御回路Ｍｂ４は、送受信回路Ｍｂ２からの入力信号に応じて、メモリＭｂ５への情報の書き込み（記録）動作を行う。また、制御回路Ｍｂ４は、メモリＭｂ５に記録された情報の読み出し動作を行い、読み出した情報（信号）の変調増幅を指示する信号を送受信回路Ｍｂ２に出力する。メモリＭｂ５には、メモリカードＭの識別情報Ｍｂｄ（図１）が記録され、リーダライタ３１により識別情報Ｍｄｂが読みとられる。リーダライタ３１には識別情報を読み取る識別情報読取手段も含んでいる。
【００２２】
＜ラボシステムの構成＞
次に、本発明に係わる実施形態のカメラで撮影した写真をプリントするラボシステムの一例について説明する。図３は、実施の形態に係わる一例のラボシステムの構成を示す図である。図３に示すように、ラボシステムは、各地域に点在する複数のラボ１００とサーバー４０とがインターネット等のネットワークで接続されている一例を示している。
【００２３】
ラボ１００には、受付処理機１０、プリンタ２０、および、顧客自身でプリント等を行う受付処理機３０が接続されている。また、サーバー（管理用コンピュータともいう）４０は、ラボ１００とネットワークで接続され、ラボシステムの全体を管理し、また、ハードディスク４０ａに顧客別のプリント条件が登録されており、複数の受付処理機（端末装置ともいう）からいつでもアクセスできるようになっている。
【００２４】
なお、本発明のラボシステムはこれに限定されるものではなく、例えば、受付処理機のみをラボ以外の場所に設置することもできる。
【００２５】
＜ラボシステムの各構成＞
ラボ１００の受付処理機１０について説明する。図４は実施の形態に係わるラボシステムの受付処理機１０の構成を示す図である。図４に示すように、受付処理機１０は、キーボード１１、マウス１２、表示部１３、メモリカード挿入口１４、画像記憶部読取部１５、識別情報読取手段１６で構成されている。
【００２６】
受付処理機１０は、顧客からのプリント注文受付、メモリカードＭの識別情報Ｍｂｄおよび画像記録部Ｍａの読み取り、顧客のプリント条件の入力、およびメモリカードＭの発行を行う。なお、受付処理機１０は、店員が操作して入力するが、顧客自身が操作して入力することもできる。
【００２７】
顧客からのプリント注文受付は、店員が顧客より注文内容を聞き取り、キーボード１１、マウス１２により入力する。また、メモリカードＭの識別情報Ｍｂｄの読み取りは、メモリカードＭをメモリカード挿入口３４に装填した際に、識別情報読取手段１６により読み取られる。また、メモリカードＭの画像記録部Ｍａの読み取りは、メモリカードＭをメモリカード挿入口１４に装填した際に、画像記録読取部１５により読み取られる。また、メモリカードＭの発行は、識別情報Ｍｂｄの付与および顧客のプリント条件の登録の後に発行されるが、メモリカードＭの識別情報Ｍｂｄの付与のみ行い、後で顧客のプリント条件の登録を行うこともできる。
【００２８】
次に、プリンタ２０について説明する。図５は、実施の形態に係わるラボシステムのプリンタの構成を示す図である。図５に示すように、プリンタ２０は、登録されている顧客のプリント条件より検索されたプリント条件に基づいてプリント出力条件を求めてプリント処理を行う。以下、感光材料への露光と現像を行うことによりプリントとして写真を出力する例で説明する。
【００２９】
プリンタ２０は、ＣＰＵ２１、露光装置２２、現像装置２３、およびソータ２４を備えて構成されている。なお、図５において点線で示す搬送ルートＲは、プリント用のペーパーＳが搬送される経路を示している。ＣＰＵ２１は、メモリカードＭの画像記録部Ｍａ（図１）に記録された画像データに各種画像処理を行い、露光用画像情報を生成して露光装置２２に出力する。露光装置２２では、青色用露光ヘッド、緑色用露光ヘッド、赤色用露光ヘッドとが露光時の主走査方向がペーパーＳの搬送方向に対して垂直になるようにそれぞれ設けられている。露光処理されたペーパーＳは、現像装置２３に搬送される。また、現像装置２３は、発色現像処理槽、漂白定着処理槽、安定化処理部および乾燥処理部とを有する。乾燥処理されたペーパーＳは、プリントとしてソータ２４に送出される。さらに、ソータ２４は、複数の排紙トレイを有し、現像装置２３から送出されたプリントの仕分けを行って各排紙トレイに排出するようになっている。
【００３０】
次に、ラボシステムの受付処理機３０について説明する。図６は実施の形態に係わるラボシステムの受付処理機３０の構成を示す斜視図である。図６に示すように、ラボ内の受付処理機３０は、顧客自身により受付、プリント等を行うことができる装置である。
【００３１】
受付処理機３０は、正面中央にリーダライタ３１、正面右側にメモリカード挿入口３２、画像記録読取部３３、正面左側にタッチパネル機能付きの表示部３４、さらに、正面下部にプリント取出口３５、内部にプリンタ３５が配置されている。受付処理機３０は、前述の受付処理機１０とプリンタ２０の機能を合わせ持つ機器であり、プリント注文受付、プリント条件の入力、メモリカードＭの識別情報Ｍｂｄおよび画像記録部Ｍａの読み取りを行うことができる。
【００３２】
プリント注文受付は、表示部３４のタッチパネルを操作してプリント枚数、プリントサイズ、プリントコマ等を入力する。また、メモリカードＭの識別情報Ｍｂｄの内容は、リーダライタ３１にタッチすることで読み取られる。また、メモリカードＭの画像記憶部Ｍａの画像データは、画像記録読取部３３により読み取られる。また、プリンタ３５は前述の図５のプリンタを機能的に同じである。さらに、できたプリントはプリント取出口３５より取り出される。
【００３３】
ここで、顧客のプリント条件の入力について説明する。図７は受付処理機３０の入力画面１３Ｇを示す図である。
【００３４】
図７に例示するように、顧客のプリント条件の入力は、タッチパネル機能のついた表示部３４（図６参照）を見ながら入力できる。入力画面１３Ｇに顧客のプリント条件の一例を示す。入力画面１３Ｇに示すように、カラーバランス（好みの色調）は、レッド（Ｒ）、ブルー（Ｂ）、グリーン（Ｇ）の度合いをスライダにタッチして入力する。代表例として、レッド（Ｒ）で説明すると、範囲−５から＋５より最適値を選択する。なお、標準のレッド（Ｒ）はレベル「０」となっている。次に、シャープネスは、同様にスライダにタッチして設定する。シャープネスのプラスはシャープネスが高いことを、また、マイナスはシャープネスが低いことを意味する。範囲−５から＋５より最適値を選択する。なお、標準のシャープネスはレベル「０」となっている。なお、入力画面１３Ｇでは、プリント条件の入力によるサンプル画像が表示され顧客（ラボ店員）が目視で確認できるようになっている。
【００３５】
なお、顧客のプリント条件として、画像処理に関する情報では、色調（カラーバランス）、階調、シャープネスを含むプリント条件等が挙げられ仕上がり画像を特徴付けるものであり、一方、付加的サービスでは、印画紙サイズ、印画紙種などあり顧客の好みを反映することができる。
【００３６】
次に、サーバー４０について説明する。図８は実施の形態に係わるラボシステムのサーバーの構成を示す図である。図８に示すように、サーバー４０はハードディクメモリ４０ａを有する管理用コンピュータ４０で構成され、ラボシステムの全体を管理する。
【００３７】
また、ハードディスク４０ａには、個人情報（顧客コード）と顧客のプリント条件とが対応づけられてデータベースに登録されている（第２対応付け手段）。
【００３８】
図９はデータベースの一例を示す図である。図９に示すように、個人情報Ｎである顧客コードと、プリント条件Ｐｄである画質補正パラメータとが対応づけて登録されている。なお、図９では、顧客コードＡ、Ｂではカラーバランス、シャープネスのプリント条件Ｐｄが登録され、また顧客コードＣでは未登録となっている。
【００３９】
＜作用＞
本実施の形態に係わるラボシステムの（作業フロー）と（制御フロー）について説明する。なお、受付処理機１０とプリンタ２０との合わせた機能が、受付処理機３０と機能的に同じであるので、受付処理機３０を代表例として、受付処理機３０とサーバ４０について説明する。
【００４０】
（作業フロー）
ラボシステムの作業スローとして、新規顧客の場合、および再来顧客（リピータ）の場合の例について説明する。図１０は標準的な新規顧客の場合の作業の流れ（ａ）と再来顧客（リピータ）の場合の作業の流れ（ｂ）をそれぞれ示す図である。
【００４１】
図１０（ａ）に示すように、標準的な新規顧客の場合、最初に、顧客が撮影した図１に示すメモリカードＭに識別情報部ＭｂであるＩＣタグを貼り付け（ステップＳ０１）、次に、図６に示す処理プリンタ端末３０を用いてメモリカードＭの新規登録処理を行う（ステップＳ０２）。さらに、プリントすべき画像を選択し、プリント条件である画像処理パラメータの入力処理を行う。即ち、図７に示す入力画面１３Ｇで、カラーバランス、シャープネスを入力する。なお、入力された内容は、図８に示すハードディスク４０ａのデータベースに登録される（ステップＳ０３）。続いて、プリント指示を行い、出力されたプリントを袋に入れる等のプリント処理を行う（ステップＳ０４）。
【００４２】
また、図１０（ｂ）に示すように、標準的な再来顧客の場合は、図７に示す入力画面１３Ｇで、未登録であればプリント条件である画像処理パラメータの入力処理を行う。既に、登録済みのときは、プリント条件は更新される（ステップＳ５）。
【００４３】
（制御フロー）
次に、実施の形態に係わるラボシステムの制御フローとして、（ａ）メモリカードＭの新規登録処理、（ｂ）プリント条件の入力処理、および（ｃ）プリント処理についてそれぞれ説明する。なお、受付処理機１０とプリンタ２０の合わせた機能は、受付処理機３０と機能的に同じであるので、メモリカードには、すでにＩＣタグが貼り付けられているものとして、受付処理機３０を代表例として、受付処理機３０とサーバ４０の制御フローについて説明する。
【００４４】
（ａ）メモリカードＭの新規登録処理
図１１はラボシステムにおけるメモリカードの新規登録処理の第１制御フローを示す。図１１に示すように、受付処理機３０において、個人情報Ｎを登録をする（ステップＳ１１）。次に、整理番号の発行を行う（ステップＳ１２）。また、識別情報Ｍｂｄの発行を行う（ステップＳ１３）。さらに、画像記録媒体の識別情報部Ｍｂに図１に示すように識別情報Ｍｂｄを書き込む（ステップＳ１４）。
【００４５】
（ｂ）プリント条件の入力および登録処理
次に、ラボシステムにおけるプリント条件の入力および登録について、受付処理機３０の制御フローと、サーバー（管理用コンピュータ）４０の制御フローとを関連づけて説明する。
【００４６】
図１２はラボシステムに係わるプリント条件の入力および登録処理の第２制御フローを示す図である。図１２（ａ）に示すように、受付処理機３０では、最初に、入力画面１３Ｇ（図７）により、スライダ位置に応じて画像処理パラメータを設定（ステップＳ２１）し、プリンタに画像処理パラメータを送信する（ステップＳ２２）。次に、メモリカードＭに識別情報Ｍｂｄが付与されているか判断して、付与されていなければ終了し、一方、付与されていればステップＳ２４に進む（ステップＳ２３）。管理用コンピュータにプリント条件である画像処理パラメータの登録を要求（ステップＳ２４）し、管理用コンピュータに個人情報である顧客コードとプリント条件である画像処理パラメータを送信する（ステップＳ２５）。
【００４７】
一方、図１２（ｂ）に示すように、管理用コンピュータ４０では、受付処理機３０からプリント条件である画像処理パラメータの登録の要求があるか判断し、登録要求がなければここで終了し、一方、ステップＳ３１で登録要求があればステップＳ３２に進む。ステップＳ３２では受付処理機３０から個人情報である顧客コードと、プリント条件である画像処理パラメータを受信し、ステップＳ３３では受付処理機３０から顧客コードと画像処理パラメータをデータベースに登録する。
【００４８】
（ｃ）プリント処理
次に、ラボシステムにおけるプリント処理について、受付処理機３０の制御フローと管理用コンピュータ４０の制御フローとを関連づけて説明する。
【００４９】
図１３はラボシステムに係わるプリント処理の第３制御フローを示す図である。図１３（ａ）に示すように、受付処理機３０では、メモリカードＭに識別情報Ｍｂｄが付与されているか判断し、付与されていないならばステップＳ４９に進み、付与されていればステップＳ４２に進む（ステップＳ４１）。
【００５０】
次に、ステップＳ４２では、メモリカードＭ（図１参照）の識別識別部Ｍｂに書き込まれている識別情報Ｍｂｄの中から個人情報である顧客コードを抽出する。なお、読みとられた識別情報Ｍｂと個人情報（顧客コード）とを対応付ける、即ち、メモリカードＭの識別識別部Ｍｂから識別情報Ｍｂに含まれる個人情報（顧客コード）を抽出する手段を第１対応付け手段ということにする。図１（ｂ）に示す例では、識別情報Ｍｂより個人情報（顧客コード）である「Ａ」を抽出することを指す。
【００５１】
次に、管理用コンピュータ４０にプリント条件である画像処理パラメータの検索を要求（ステップＳ４３）し、管理用コンピュータに個人情報である顧客コードを送信する（ステップＳ４４）。管理用コンピュータ４０から検索結果を受信したか判断し、受信したならばステップＳ４６に進む（ステップＳ４５）。ステップＳ４６では、顧客コードと画像処理パラメータを受信したかどうか判断し、受信しなければステップＳ４９に進み、受信したならば、ステップＳ４７に進む。次に、ステップＳ４７では、図６に示すプリンタ３５に顧客に応じたプリント条件である画像処理パラメータを送信し、ステップＳ４８で画像処理パラメータに基づいてプリント処理を行う。
【００５２】
一方、識別情報が読み取られない場合や、読み取られた識別情報より個人情報が対応付けできない場合には、プリント条件を補正を行わない値であるデフォルト値とし、プリンタ３５（図６）に、このデフォルトのプリント条件を送信し（ステップＳ４９）、プリント処理を行う。
【００５３】
一方、図１３（ｂ）に示すように、管理用コンピュータ４０では、受付処理機３０からプリント条件である画像処理パラメータの検索要求があるか判断し、なければフローＦ４４に進み、あればフローＦ４２に進む（フローＦ４１）。
【００５４】
フローＦ４２では、受付処理機３０から個人情報である顧客コードを受信し、フローＦ４３で個人情報である顧客コードから顧客のプリント条件である画像処理パラメータを検索する。なお、個人情報と個人のプリント条件とを対応付ける、即ち、個人情報（顧客コード）からその個人の登録されているプリント条件（画像処理パラメータ）を検索して求める手段を第２対応付け手段ということにする。図９に示す例では、求められた個人情報（顧客コード）Ｎより、対応するプリント条件（画質パラメータ）Ｐｄを検索し求めることを指す。
【００５５】
フローＦ４４では検索結果があるかどうか判断し、検索結果がなければ、フローＦ４６に進み、検索結果があればフローＦ４５に進む。フローＦ４５では、受付処理機へ顧客コードと画像処理パラメータを送信する。一方、フローＦ４６においては、受付処理機３０へ検索結果なしを送信する。以上で制御フローの説明を終了する。
【００５６】
以上の本発明の実施の形態からも分かるように、画像記録媒体が異なっていても、個人情報が同じであれば、プリント条件が同一となり、画像記録媒体毎にプリント条件の設定を行う必要がなくなる。また、識別情報と個人情報が対応づけられていない画像記録媒体であっても、プリント異常とはならなくなる。また、顧客が望む最新のプリント条件に更新してプリントできるようになる。さらに、どのような端末装置（受付処理機３０、受付処理機１０）からでも同じプリント条件でプリントできるようになる。
【００５７】
なお、上記の実施の形態は、複数のラボとサーバーとがネットワークで接続されている一例について説明したが、これに限定されるものではない。
【図面の簡単な説明】
【００５８】
【図１】実施の形態に係わる画像記録媒体であるメモリカードの構成図（ａ）とメモリカードの一例の識別情報を示す図である。
【図２】メモリカードの識別情報部の電気的構成を示す図である。
【図３】実施の形態に係わる一例のラボシステムの構成を示す図である。
【図４】実施の形態に係わるラボシステムの受付処理機の構成を示す図である。
【図５】実施の形態に係わるラボシステムのプリンタの構成を示す図である。
【図６】実施の形態に係わるラボシステムの受付処理機の構成を示す斜視図である。
【図７】受付処理機の入力画面を示す図である。
【図８】実施の形態に係わるラボシステムのサーバー（管理用コンピュータ）の構成を示す図である。
【図９】管理用コンピュータのハードディスク内のデータベースを示す図である。
【図１０】実施の形態のラボシステムの標準的な作業の流れを示す図である。
【図１１】ラボシステムに係わるメモリカードの新規登録処理の第１制御フローを示す図である。
【図１２】ラボシステムに係わるプリント条件の入力処理の第２制御フローを示す図である。
【図１３】ラボシステムに係わるプリント処理の第３制御フローを示す図である。
【符号の説明】
【００５９】
１０  受付処理機（端末装置）
２０  プリンタ
３０  受付処理機（端末装置）
３１  リーダライタ（識別情報読取手段）
４０  サーバー（管理用コンピュータ）
４０ａ  ハードディスク（記憶手段）
１００  ラボ
Ｍ  画像記録媒体（メモリカード）
Ｍａ  画像記録部
Ｍｂ    識別情報部
Ｍｂｄ  識別情報
Ｐｄ  プリント条件
Ｎ  個人情報
【図１】
2007041114.tif 000003
【図２】
2007041114.tif 000004
【図３】
2007041114.tif 000005
【図４】
2007041114.tif 000006
【図５】
2007041114.tif 000007
【図６】
2007041114.tif 000008
【図７】
2007041114.tif 000009
【図８】
2007041114.tif 000010
【図９】
2007041114.tif 000011
【図１０】
2007041114.tif 000012
【図１１】
2007041114.tif 000013
【図１２】
2007041114.tif 000014
【図１３】
2007041114.tif 000015